(57)【特許請求の範囲】
【請求項１】
駅係員の操作を受け付ける操作部、
第２の駅の自動改札機の動作状態を表す動作パラメータ情報を記憶する第１の記憶部、
前記操作部により受け付けられた操作に基づいて前記第１の記憶部に記憶された動作パラメータ情報を前記第２の駅の自動改札機に送信する第１の通信部、および、
前記第１の通信部に動作パラメータ情報を送信させる第１の制御部、
を有する監視盤と、
前記監視盤と通信を行う第２の通信部、
自装置の動作パラメータ情報を記憶する第２の記憶部、
媒体から読み取った情報に基づいて入場処理または出場処理を行う改札処理部、
前記第２の記憶部に記憶された動作パラメータ情報が示す起動時刻が到来することにより自装置が動作を開始している状態において、前記第２の通信部が、前記監視盤により送信された自装置を停止させる動作パラメータ情報を受信した場合、自装置の動作を継続し、動作パラメータ情報が一致しないことを表す通知情報を前記第１の通信部に対して前記第２の通信部に送信させる第２の制御部、
を有する自動改札機と、を備え、
前記監視盤は、前記第２の通信部により送信された通知情報を前記第１の通信部により受信した場合に、駅係員に通知を行う通知部を備える、
自動改札システム。
【請求項２】
前記第１の制御部は、前記通知部により通知を行った場合、前記操作部により受け付けられた操作に基づいて前記自動改札機の動作パラメータ情報が変更された場合に、前記変更された動作パラメータ情報を前記第１の通信部に送信させ、
前記第２の制御部は、前記変更された動作パラメータ情報を前記第２の通信部により受信した場合に、前記変更された動作パラメータ情報を前記第２の記憶部に記憶させる、
請求項１に記載の自動改札システム。
【請求項３】
前記第２の制御部は、前記変更された動作パラメータ情報に基づく前記自動改札機の動作状態を表す通知情報を前記第２の通信部に送信させ、
前記第１の制御部は、前記自動改札機の動作状態を表す通知情報を前記第１の通信部により受信した場合に、前記通知部に通知を停止させる、
請求項２に記載の自動改札システム。
【請求項４】
前記第２の制御部は、受信した動作パラメータ情報と前記第２の記憶部に記憶された動作パラメータ情報とが一致しない場合に、前記自動改札機の動作状態を表す通知情報を前記第２の通信部に送信させ、
前記第１の制御部は、前記通知部により通知を行った場合、前記操作部により受け付けられた操作に基づいて前記自動改札機の動作パラメータ情報が変更された結果、前記変更された前記自動改札機の動作パラメータ情報が前記通知情報に表される前記改札処理部の制御状態と合致した場合に、前記通知部に通知を停止させる、
請求項２に記載の自動改札システム。
【請求項５】
駅係員の操作を受け付ける操作部、
自動改札機の動作状態を表す動作パラメータ情報を記憶する第１の記憶部、
前記操作部により受け付けられた操作に基づいて前記第１の記憶部に記憶された動作パラメータ情報を前記自動改札機に送信する第１の通信部、および、
前記第１の通信部に動作パラメータ情報を送信させる第１の制御部、
を有する監視盤と、
前記監視盤と通信を行う第２の通信部、
自装置の動作パラメータ情報を記憶する第２の記憶部、
媒体から読み取った情報に基づいて入場処理または出場処理を行う改札処理部、および、
前記第２の記憶部に記憶された動作パラメータ情報が示す、いずれの方向への利用者の通過を許可するかを示す動作モードに従って自装置が動作している場合において、前記監視盤により送信された動作パラメータ情報が実行中の動作モードと一致しない場合、実行中の動作モードに基づく動作を継続し、動作パラメータ情報が一致しないことを表す通知情報を前記第１の通信部に対して前記第２の通信部に送信させる第２の制御部、
を有する前記自動改札機と、を備え、
前記監視盤は、前記第２の通信部により送信された通知情報を前記第１の通信部により受信した場合に、駅係員に通知を行う通知部を備える、
自動改札システム。
【発明の詳細な説明】
【技術分野】
【０００１】
本発明の実施形態は、自動改札システムに関する。
【背景技術】
【０００２】
従来、複数の駅に設置された自動改札機の動作を監視盤により制御する技術が知られている。この監視盤は、例えば、駅係員がいる駅に設置され、駅係員の操作に基づいて駅係員がいない無人駅に設置された自動改札機の動作を遠隔制御する。また、従来、設定時刻が到来した場合に自動的に起動する自動改札機が知られている。しかしながら、監視盤が自動改札機を遠隔制御する結果、自動改札機が予期せぬ動作をする場合があった。
【先行技術文献】
【特許文献】
【０００３】
【特許文献１】特開２００２−２６９５９８号公報
【発明の概要】
【発明が解決しようとする課題】
【０００４】
本発明が解決しようとする課題は、自動改札機の予期せぬ動作を防止することができる自動改札システムを提供することである。
【課題を解決するための手段】
【０００５】
実施形態の自動改札システムは、監視盤と、自動改札機とを持つ。前記監視盤は、第１の駅に設置され、操作部と、第１の記憶部と、第１の通信部と、第１の制御部とを持つ。前記操作部は、駅係員の操作を受け付ける。前記第１の記憶部は、第２の駅の自動改札機の動作状態を表す動作パラメータ情報を記憶する。前記第１の通信部は、前記操作部により受け付けられた操作に基づいて前記第１の記憶部に記憶された動作パラメータ情報を前記第２の駅の自動改札機に送信する。前記第１の制御部は、前記第１の通信部に動作パラメータ情報を送信させる。前記自動改札機は、第２の駅に設置され、第２の通信部と、第２の記憶部と、改札処理部と、第２の制御部とを持つ。前記第２の通信部は、前記監視盤と通信を行う。前記第２の記憶部は、自装置の動作パラメータ情報を記憶する。前記改札処理部は、媒体から読み取った情報に基づいて入場処理または出場処理を行う。前記第２の制御部は、前記第２の記憶部に記憶された動作パラメータ情報が示す起動時刻が到来することにより自装置が動作を開始している状態において、前記第２の通信部が、前記監視盤により送信された自装置を停止させる動作パラメータ情報を受信した場合、自装置の動作を継続し、前記監視盤は、前記第２の通信部により送信された通知情報を前記第１の通信部により受信した場合に、駅係員に通知を行う通知部を備える。
【図面の簡単な説明】
【０００６】
【図１】実施形態の自動改札システム１の構成を示すブロック図。
【図２】実施形態における監視盤１０の構成を示すブロック図。
【図３】実施形態の自動改札機３０を上方から見た図。
【図４】実施形態の自動改札機３０の機能的な構成を示すブロック図。
【図５】実施形態の自動改札システム１において監視盤１０が自動改札機３０ｂを制御する一例を示す流れ図。
【図６】実施形態の自動改札システム１において監視盤１０が自動改札機３０ｂを制御する他の一例を示す流れ図。
【図７】実施形態の自動改札システム１において監視盤１０が自動改札機３０ｂを制御する他の一例を示す流れ図。
【発明を実施するための形態】
【０００７】
以下、実施形態の自動改札システムを、図面を参照して説明する。
【０００８】
図１は、実施形態の自動改札システム１の構成を示すブロック図である。自動改札システム１は、例えば、第１の駅務システム１ａと、第２の駅務システム１ｂとを備える。第１の駅務システム１ａは、例えば、第１の駅に設置され、第２の駅務システム１ｂは、例えば、第１の駅と同じ路線において第１の駅に対して近隣の第２の駅に設置される。第１の駅務システム１ａと第２の駅務システム１ｂとは、通信ネットワークＮＷを介して情報の通信が可能である。通信ネットワークＮＷは、例えばＷＡＮ（Wide Area Network）や、ＶＰＮ（Virtual Private Network）等含む。なお、本実施形態では、一例として第１の駅務システム１ａと第２の駅務システム１ｂとを備える構成について示しているが、第１の駅務システム１ａおよび第２の駅務システム１ｂを備える駅以外の駅においても同様の駅システムが構築されてよい。
【０００９】
第１の駅務システム１ａは、例えば、監視盤１０と、通信部２０−１と、複数の自動改札機３０ａ−１、３０ａ−２、・・・および３０ａ−ｎ（以下、総称する場合には「自動改札機３０ａ」と記載する。）とを備える。第２の駅務システム１ｂは、例えば、通信部２０−２と、複数の自動改札機３０ｂ−１、３０ｂ−２、・・・および３０ｂ−ｎ（以下、総称する場合には「自動改札機３０ｂ」と記載する。）とを備える。なお、以下の説明において、自動改札機３０ａおよび自動改札機３０ｂを総称する場合には「自動改札機３０」と記載する。
【００１０】
監視盤１０は、自動改札機３０ａおよび自動改札機３０ｂを制御する。通信部２０−１は、通信ネットワークＮＷを介して第２の駅務システム１ｂにおける通信部２０−２との間で通信を行う通信Ｉ／Ｆである。自動改札機３０ａは、第１の駅において入場処理または出場処理を行う。通信部２０−２は、通信ネットワークＮＷを介して第１の駅務システム１ａにおける通信部２０−１との間で通信を行う通信Ｉ／Ｆである。自動改札機３０ｂは、第２の駅において入場処理または出場処理を行う。
【００１１】
図２は、実施形態における監視盤１０の構成を示すブロック図である。監視盤１０は、例えば、制御部１１と、パラメータ記憶部１２と、操作部１３と、表示部１４と、改札機側通信部１５とを備える。
【００１２】
制御部１１は、遠隔制御部１１ａと、改札制御部１１ｂとを備える。遠隔制御部１１ａおよび改札制御部１１ｂは、例えばＣＰＵ（Central Processing Unit）等のプロセッサがプログラムメモリに格納されたプログラムを実行することにより実現される。また、遠隔制御部１１ａおよび改札制御部１１ｂは、ＬＳＩ（Large Scale Integration）、ＡＳＩＣ（Application Specific Integrated Circuit）、またはＦＰＧＡ（Field-Programmable Gate Array）等のハードウェアにより実現されてもよい。遠隔制御部１１ａは、遠隔で自動改札機３０ｂの動作を監視して、自動改札機３０ｂの動作を制御する。改札制御部１１ｂは、監視盤１０が備えられた第１の駅務システム１ａの自動改札機３０ａの動作を制御する。
【００１３】
パラメータ記憶部１２は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。パラメータ記憶部１２は、自動改札機３０を制御するための動作パラメータ情報１２ａ、１２ｂ、・・・、および１２ｎを記憶する。パラメータ記憶部１２は、例えば、第１の駅務システム１ａにおける各自動改札機３０ａの動作パラメータ情報１２ａ、および第２の駅務システム１ｂにおける各自動改札機３０ｂの動作パラメータ情報１２ｂを記憶する。動作パラメータ情報には、例えば、自動改札機３０の起動または停止を指示する情報、自動改札機３０の入場方向または出場方向を指示する情報など、遠隔で自動改札機３０を制御する情報が含まれている。
【００１４】
操作部１３は、例えば、キーボード、マウス、タッチパネル等の操作デバイスにより実現される。操作部１３は、第１の駅務システム１ａにおける駅係員の操作を受け付けて、操作内容を示す情報を制御部１１に出力する。
【００１５】
表示部１４は、ＬＣＤ（Liquid Crystal Display）や有機ＥＬ（Electroluminescence）表示装置、プラズマディスプレイなどの表示装置である。表示部１４は、制御部１１により出力された画像データに基づいて自動改札機３０を監視するための各種の画面を、駅係員に視認できるように表示する。
【００１６】
改札機側通信部１５は、自動改札機３０ａとの間で通信を行う通信Ｉ／Ｆである。改札機側通信部１５は、例えばＬＡＮ（Local Area Network）を介して自動改札機３０ａと接続される。改札機側通信部１５は、改札制御部１１ｂから動作パラメータ情報が供給された場合に、動作パラメータ情報を自動改札機３０ａに送信する。改札機側通信部１５は、自動改札機３０ａから送信された情報を受信した場合に、情報を改札制御部１１ｂに送信する。
【００１７】
図３は、実施形態の自動改札機３０を上方から見た図である。自動改札機３０は、通路を挟んで対向配置される主機３０Ａと、従機３０Ｂとを備える。主機３０Ａは、例えば、ＣＰＵ３１０と、リーダライタ３２Ａと、扉部３４Ａおよび３５Ａと、上面表示部３１Ａと、正面表示部３３Ａとを備える。また、従機３０Ｂは、リーダライタ３２Ｂと、扉部３４Ｂおよび３５Ｂと、上面表示部３１Ｂと、正面表示部３３Ｂとを備える。
【００１８】
リーダライタ３２Ａは、アンテナおよび通信回路などを備える無線通信装置である。リーダライタ３２Ａは、図３のａ方向に通過しようとする利用者によって翳された電子媒体に記憶された情報を読み取って、読み取った情報をＣＰＵ３１０に送信する。また、リーダライタ３２Ａは、電子マネーからの料金収受処理がなされた結果を電子媒体に書き込む。上面表示部３１Ａは、リーダライタ３２Ａに電子媒体が翳された場合に、ＣＰＵ３１０によって処理された結果を表示する。正面表示部３３Ａは、図３のａ方向に通過可能であるか否かを示すマークや図形、文字等の画像を表示する。正面表示部３３Ａの表示内容または表示の有無は、ＣＰＵ３１０によって決定される。
【００１９】
一方、リーダライタ３２Ｂは、アンテナおよび通信回路などを備える無線通信装置である。リーダライタ３２Ｂは、図３のｂ方向に通過しようとする利用者によって翳された電子媒体に記憶された情報を読み取って、読み取った情報をＣＰＵ３１０に送信する。また、リーダライタ３２Ｂは、電子マネーからの料金収受処理がなされた結果を電子媒体に書き込む。上面表示部３１Ｂは、リーダライタ３２Ｂに電子媒体が翳された場合に、ＣＰＵ３１０によって処理された結果を表示する。正面表示部３３Ｂは、図３のｂ方向に通過可能であるか否かを示すマークや図形、文字等の画像を表示する。正面表示部３３Ｂの表示内容または表示の有無は、ＣＰＵ３１０によって決定される。
【００２０】
ＣＰＵ３１０は、自動改札機３０が図３のａ方向への利用者の通過を許可する動作モードに設定されている場合には、扉部３５Ａおよび３５Ｂを開放状態に維持すると共に、扉部３４Ａおよび３４Ｂを開放状態または閉止状態に制御することで、ａ方向の利用者の通過を許可または禁止する。また、ＣＰＵ３１０は、自動改札機３０が図３のｂ方向への利用者の通過を許可する動作モードに設定されている場合には、扉部３４Ａおよび３４Ｂを開放状態に維持すると共に、扉部３５Ａおよび３５Ｂを開放状態または閉止状態に制御することで、ｂ方向の利用者の通過を許可または禁止する。
【００２１】
また、自動改札機３０の動作モードには、図３のａ方向の通過とｂ方向の通過との双方を許可する動作モードが含まれてもよい。この場合、ＣＰＵ３１０は、例えば、利用者が通過中でなければ上面表示部３１Ａおよび３１Ｂと正面表示部３３Ａおよび３３Ｂの双方に通過を許可することを示すマークや図形、文字等の画像を表示させ、利用者がいずれかの側から進入し、リーダライタ３２Ａとリーダライタ３２Ｂのいずれか一方に電子媒体が翳されると、他方のリーダライタを無効化すると共に、利用者が進入してきていない側の表示部（正面表示部３３Ａまたは３３Ｂ）に、通過を禁止することを示すマークや図形、文字等の画像を表示させるといった制御を行う。なお、図３では、自動改札機３０がＩＣカード専用機であるものとして説明したが、自動改札機３０は、ＩＣカードと磁気券の併用機であってもよい。また、自動改札機３０は、カメラを備え、紙媒体にＱＲコード（登録商標）等が印刷されたものを券として処理するものであってもよい。また、自動改札機３０は、利用者が双方向に通過可能なものに限らず、主機と補機により構成される、利用者が一方向にのみ通過可能なものであってもよい。
【００２２】
図４は、実施形態の自動改札機３０の機能的な構成を示すブロック図である。自動改札機３０は、例えばＣＰＵ３１０と、通信部３１１と、記憶部３１２と、リーダライタ３２Ａおよび３２Ｂと、人間検知部３１３と、電源制御部３１４と、扉制御部３１５と、音声制御部３１６と、ブザー制御部３１７と、表示制御部３１８と、扉部３４Ａ、３４Ｂ、３５Ａおよび３５Ｂと、音声出力部３６と、ブザー出力部３７と、上面表示部３１Ａおよび３１Ｂと、正面表示部３３Ａおよび３３Ｂとを備える。
【００２３】
ＣＰＵ３１０は、各種処理を行う処理部である。ＣＰＵ３１０は、記憶部３１２に記憶された動作パラメータ情報３１２ａを読み込み、例えば記憶部３１２のプログラムメモリに格納されたプログラムを実行することで、上記説明した種々の処理を実行する。
【００２４】
ＣＰＵ３１０は、主機３０Ａおよび従機３０Ｂの各部を制御する。ＣＰＵ３１０は、利用者より翳された電子媒体の無線チップに記憶された情報である媒体情報を、リーダライタ３２Ａまたは３２Ｂを介して取得する。媒体情報とは、電子媒体の識別情報や、入場駅や出場駅の情報を含む入出場情報、利用可能な金額の情報（チャージ残高情報）、利用可能な区間情報（定期券情報）などである。ＣＰＵ３１０は、利用者により翳された電子媒体に記憶された媒体情報と、記憶部３１２に記憶された運賃テーブルとに基づいて、利用者の通過可否を判定する。
【００２５】
ＣＰＵ３１０は、通過可否の判定結果に基づいて、書込み情報をリーダライタ３２Ａまたは３２Ｂに、扉制御信号を扉制御部３１５に、音声制御信号を音声制御部３１６に、ブザー制御信号をブザー制御部３１７に、表示制御信号を表示制御部３１８に、それぞれ出力する。書込み情報とは、例えば、電子媒体の無線チップに記憶された情報を書き換えるための情報（運賃収受後のチャージ残高情報等）である。表示制御信号とは、上面表示部３１Ａまたは３１Ｂと、正面表示部３３Ａまたは３３Ｂとに情報を表示させるための信号である。扉制御信号とは、扉部３４Ａまたは３５Ａと、扉部３４Ｂまたは３５Ｂを制御するための信号である。音声制御信号とは、音声出力部３６を制御するための信号である。ブザー制御信号とは、ブザー出力部３７を制御するための信号である。
【００２６】
記憶部３１２には、動作パラメータ情報３１２ａが記憶される。動作パラメータ情報３１２ａは、自動改札機３０に固定的に設定された動作パラメータ情報、および監視盤１０により送信された情報に基づいて書き換え可能な動作パラメータ情報を含む。また、記憶部３１２には、ファームウェアやアプリケーションプログラム等、ＣＰＵ３１０が実行するための各種プログラムやＣＰＵ３１０が実行した処理の結果等を記憶されている。
【００２７】
人間検知部３１３は、例えば、主機３０Ａと従機３０Ｂに対向配置される発光部と受光部、所定の方向を撮像するように設置されたカメラ、赤外線を用いた人感センサ、ステレオカメラ等である。人間検知部３１３は、自装置内を通過する利用者を検出する。
【００２８】
電源制御部３１４は、自装置の電源回路（不図示）と接続された電源制御回路である。電源制御部３１４は、電源回路を制御することにより、電源回路から自装置の各部に電力の供給を開始させることで自装置を起動させる。また、電源制御部３１４は、電源回路を制御することにより、電源回路から自装置の各部に電力の供給を停止させることで自装置を停止させる。
【００２９】
以下、実施形態の自動改札システム１において、第１の駅務システム１ａの監視盤１０が、第２の駅務システム１ｂの自動改札機３０ｂを遠隔で制御する流れを説明する。
【００３０】
図５は、実施形態の自動改札システム１において監視盤１０が自動改札機３０ｂを制御する一例を示す流れ図である。まず、監視盤１０は、例えば駅係員の操作を受け付けた場合に自装置を起動し（ステップＳ１００）、第２の駅務システム１ｂの自動改札機３０ｂに状態を指示する制御信号を送信する。このとき、監視盤１０は、パラメータ記憶部１２に記憶された動作パラメータ情報のうち、自動改札機３０ｂの初期設定を行うための動作パラメータ情報を読み出し、読み出した動作パラメータ情報を含む制御信号を自動改札機３０ｂに送信する。自動改札機３０ｂは、監視盤１０により送信された自動改札機３０ｂに状態を指示する制御信号を受信した場合に、受信した動作パラメータ情報と記憶部３１２に記憶された動作パラメータ情報３１２ａとを比較する。自動改札機３０ｂは、受信した動作パラメータ情報と記憶部３１２に記憶された動作パラメータ情報３１２ａとが一致したと判定した場合に（ステップＳ１０２）、受信した動作パラメータ情報に基づいて動作することを表す応答信号を監視盤１０に送信する。
【００３１】
図６は、実施形態の自動改札システム１において監視盤１０が自動改札機３０ｂを制御する他の一例を示す流れ図である。まず、監視盤１０は、自装置を起動し（ステップＳ１００）、第２の駅務システム１ｂの自動改札機３０ｂに、パラメータ記憶部１２から読み出した動作パラメータ情報を含む制御信号を自動改札機３０ｂに送信する。自動改札機３０ｂは、監視盤１０により送信された自動改札機３０ｂに状態を指示する制御信号を受信した場合に、受信した動作パラメータ情報と記憶部３１２に記憶された動作パラメータ情報３１２ａとを比較する。自動改札機３０ｂは、受信した動作パラメータ情報と記憶部３１２に記憶された動作パラメータ情報３１２ａとが一致しないと判定した場合に（ステップＳ１０２＃）、記憶部３１２に記憶された動作パラメータ情報３１２ａに基づく動作を継続する。また、自動改札機３０ｂは、動作パラメータ情報が一致しないことを表す通知情報を含む応答信号を監視盤１０に送信する。
【００３２】
自動改札機３０ｂは、例えば、動作パラメータ情報３１２ａが示す起動時刻が到来した場合において自装置が起動して動作を開始させている状態において、監視盤１０により送信された動作パラメータ情報が自装置の動作を停止させる情報である場合に、自装置の動作を継続させる。また、自動改札機３０ｂは、自装置を起動または停止する動作に限らず、他の動作パラメータ情報に基づいて、自装置の動作を制御してもよい。監視盤１０および自動改札機３０ｂは、図３のａ方向への利用者の通過を許可する動作モードと、図３のｂ方向への利用者の通過を許可する動作モードと、図３のａ方向の通過とｂ方向の通過との双方を許可する動作モードとのいずれかの動作モードであるかを表す動作パラメータ情報に基づいて、利用者の通過を許可する動作モードを設定してもよい。
【００３３】
監視盤１０は、動作パラメータ情報が一致しないことを表す通知情報を受信した場合に、通知情報を送信した自動改札機３０ｂに、動作状態の送信を要求する要求信号を送信する。自動改札機３０ｂは、要求信号を受信した場合に、記憶部３１２に記憶された動作パラメータ情報３１２ａを読み出して、自装置の状態を表す状態信号を監視盤１０に送信する。監視盤１０は、状態信号を受信した場合に、注意喚起情報を表示部１４に表示させる（ステップＳ１０６）。監視盤１０は、例えば、自動改札機３０ｂに指示した状態と、自動改札機３０ｂの動作の状態とが一致しないことを通知する注意喚起情報を表示部１４に表示させる。また、監視盤１０は、自動改札機３０ｂにより送信された動作パラメータ情報３１２ａの内容を表示させてもよい。監視盤１０は、操作部１３の操作を受け付けてパラメータ記憶部１２の動作パラメータ情報が変更された場合、変更された動作パラメータ情報を自動改札機３０ｂに送信する（ステップＳ１０８）。なお、監視盤１０は、パラメータ記憶部１２の動作パラメータ情報が変更されない場合には、注意喚起情報の表示を継続させる。
【００３４】
自動改札機３０ｂは、監視盤１０により送信された変更された動作パラメータ情報を受信した場合に、動作パラメータ情報３１２ａを監視盤１０により変更された動作パラメータ情報３１２ａに更新する。自動改札機３０ｂは、更新された動作パラメータ情報３１２ａに基づいて自装置の動作を変更する（ステップＳ１１０）。自動改札機３０ｂは、変更された自装置の動作状態を表す通知情報を含む応答信号を監視盤１０に送信する。
【００３５】
監視盤１０は、自動改札機３０ｂの動作状態を表す通知情報を含む応答信号を受信した場合に、ステップＳ１０８において変更された動作パラメータ情報が表す自動改札機３０ｂの動作状態と、受信した通知情報により表された自動改札機３０ｂの動作状態とを比較する。監視盤１０は、比較した結果、自動改札機３０ｂの動作状態が一致したことを認識して、注意喚起情報の表示を非表示に切り替える（ステップＳ１１２）。
【００３６】
監視盤１０は、操作部１３の操作を受け付けてパラメータ記憶部１２の動作パラメータ情報が変更された場合に、パラメータ記憶部１２の動作パラメータ情報が表す自動改札機３０ｂの動作状態が、状態信号が表す自動改札機３０ｂの動作状態と合致するか否かを判定してもよい（図７のステップＳ１２０）。図７は、実施形態の自動改札システム１において監視盤１０が自動改札機３０ｂを制御する他の一例を示す流れ図である。監視盤１０は、判定した結果、自動改札機３０ｂの動作状態が合致しない場合には注意喚起情報の表示を継続させる。監視盤１０は、判定した結果、自動改札機３０ｂの動作状態が合致すると判定した場合に、注意喚起情報の表示を非表示に切り替える（ステップＳ１１２）。
【００３７】
以上説明した少なくともひとつの実施形態によれば、操作部１３により受け付けられた操作に基づいてパラメータ記憶部１２に記憶された動作パラメータ情報を自動改札機３０ｂに送信する監視盤１０と、記憶部３１２に記憶された動作パラメータ情報に基づいて自装置を制御している状態において監視盤１０により送信された動作パラメータ情報を受信した場合に、受信した動作パラメータ情報と記憶部３１２に記憶された動作パラメータ情報が一致しない場合、記憶部３１２に記憶された動作パラメータ情報に基づく動作を継続し、動作パラメータ情報が一致しないことを表す通知情報を監視盤１０に送信させる自動改札機３０ｂと、を持ち、監視盤１０が、自動改札機３０ｂにより送信された通知情報を受信した場合に、駅係員に通知を行う表示部１４を持つので、監視盤１０により送信された動作パラメータ情報により自動改札機３０ｂが動作することによる自動改札機３０ｂの予期せぬ動作を防止することができる。
【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１…自動改札システム、１０…監視盤、１１…制御部、１１ａ…遠隔制御部、１２…パラメータ記憶部、１３…操作部、１４…表示部、２０−１、２０−２…通信部、３０、３０ａ、３０ｂ…自動改札機、３１１…通信部、３１２…記憶部、３１２ａ…動作パラメータ情報、３１４…電源制御部
【図１】
0006605889.tif 000002
【図２】
0006605889.tif 000003
【図３】
0006605889.tif 000004
【図４】
0006605889.tif 000005
【図５】
0006605889.tif 000006
【図６】
0006605889.tif 000007
【図７】
0006605889.tif 000008